(57)【要約】【課題】ねじなどを併用しなくとも簡単に組み立てることができる戸を提供する。【解決手段】矩形の周囲枠の各辺ごとに分割された主枠材１２，１３は、長さ方向に連続する凹溝部１８、そのスリット状開口１９の両側に内側に形成された係止部２０ａ，２０ｂ、及び板材受け部２１を備え、押さえ枠材１５は、主枠材のスリット状開口１９を閉じると共に主枠材の板材受け部２１との間でガラス板などの周辺を挟む板材押さえ部２２を有するもので、主枠材１２，１３の係止部２０ａ，２０ｂと係合して抜け止めとなる突条部２４ａ，２４ｂを内側に備え、連結具１６，１７は、本体２６から直角２方向に突設されて主枠材１２，１３内に挿入される挿入脚部２７，２８に係止用凹部２９が形成されたもので、この係止用凹部２９に嵌合する抜け止め用の係止用凸部３１が押さえ枠材１５に設けられた構成。【選択図】図４
2005133459.tif 000002
【特許請求の範囲】
【請求項１】
矩形の周囲枠とこの周囲枠内に嵌められたガラス板などの板材とから成り、周囲枠は、各辺ごとに分割された主枠材及び押さえ枠材と、各主枠材を直角に接続する連結具とから構成され、主枠材は、長さ方向に連続する凹溝部と、当該凹溝部のスリット状開口の両側に内側に張り出すように形成された係止部とを有すると共に、主枠材の内側辺には前記板材の周辺を受ける板材受け部が設けられ、押さえ枠材は、主枠材のスリット状開口を閉じると共に主枠材の板材受け部との間で前記板材の周辺を挟む板材押さえ部を有するもので、主枠材のスリット状開口から凹溝部内に嵌合すると共にその両側の係止部と係合して抜け止めとなる突条部を内側に備え、連結具は、主枠材の端部間に位置して周囲枠の角部を形成する本体と、この本体から互いに直角２方向に延出する、それぞれ主枠材の凹溝部内に主枠材端部からのみ挿入可能な２本の挿入脚部とから成り、当該挿入脚部には、主枠材のスリット状開口に面する側に係止用凹部が形成され、この係止用凹部に嵌合して挿入脚部の抜け止めとなる係止用凸部が前記押さえ枠材に設けられた、戸。
【請求項２】
押さえ枠材の前記突条部は、連結具の挿入脚部が挿入される主枠材の端部領域内まで設けられ、この押さえ枠材に設けられる前記係止用凸部は、前記突条部を部分的に切除して形成されている、請求項１に記載の戸。
【請求項３】
連結具の前記係止用凹部とこれに嵌合する押さえ枠材の前記係止用凸部とには、この両者の嵌合により連結具の挿入脚部を主枠材に対する挿入方向に引き込むカム面が形成されている、請求項１又は２に記載の戸。
【請求項４】
押さえ枠材の前記突条部は、主枠材のスリット状開口の両側の係止部それぞれに隣接するように左右一対設けられている、請求項１〜３の何れかに記載の戸。
【請求項５】
１つの連結具に対して直角２方向に配置される２つの押さえ枠材の内、少なくとも一方は、当該連結具の本体に被さる長さを有し、全ての押さえ枠材の表面が面一に連続するように構成された、請求項１〜４の何れかに記載の戸。
【請求項６】
各押さえ枠材は、主枠材の板材受け部のある側とは反対側の外側面を覆う側板部が連設されて、断面Ｌ形に構成されている、請求項１〜５の何れかに記載の戸。
【請求項７】
連結具の本体に引き戸用ガイドに係合するガイド部材又は車輪、若しくはその両者が取り付けられて、引き戸に構成されている、請求項１〜５の何れかに記載の戸。
【請求項８】
引き戸移動方向に直交する２つの押さえ枠材の内、少なくとも一方に引き戸用把手部が連設されている、請求項６に記載の戸。
【発明の詳細な説明】
【技術分野】
【０００１】
本発明は、家具の引き戸などに利用される戸に関するものである。
【背景技術】
【０００２】
特許文献を挙げることはできないが、家具の引き戸などに利用される戸として、矩形の周囲枠とこの周囲枠内に嵌められたガラス板などの板材とから成り、周囲枠は、各辺ごとに分割された主枠材及び押さえ枠材と、各主枠材を直角に接続する連結具とから構成された組立式の戸が、知られている。
【発明の開示】
【発明が解決しようとする課題】
【０００３】
従来のこの種の組立式の戸では、ねじによる部材どうしの結合作業が必要不可欠のものであって、その組み立てには多大の手間と時間を要し、ねじの紛失や適合する工具の準備に怠りがあると、組み立て作業そのものが行えなくなるというような問題点があった。
【課題を解決するための手段】
【０００４】
本発明は上記のような従来の問題点を解消し得る戸を提供することを目的とするものであって、その手段を後述する実施形態の参照符号を付して示すと、矩形の周囲枠１０とこの周囲枠１０内に嵌められたガラス板などの板材１１とから成り、周囲枠１０は、各辺ごとに分割された主枠材１２，１３及び押さえ枠材１４，１５と、各主枠材１２，１３を直角に接続する連結具１６，１７とから構成され、主枠材１２，１３は、長さ方向に連続する凹溝部１８と、当該凹溝部１８のスリット状開口１９の両側に内側に張り出すように形成された係止部２０ａ，２０ｂとを有すると共に、主枠材１２，１３の内側辺には前記板材１１の周辺を受ける板材受け部２１が設けられ、押さえ枠材１４，１５は、主枠材１２，１３のスリット状開口１９を閉じると共に主枠材１２，１３の板材受け部２１との間で前記板材１１の周辺を挟む板材押さえ部２２を有するもので、主枠材１２，１３のスリット状開口１９から凹溝部１８内に嵌合すると共にその両側の係止部２０ａ，２０ｂと係合して抜け止めとなる突条部２４ａ，２４ｂを内側に備え、連結具１６，１７は、主枠材１２，１３の端部間に位置して周囲枠１０の角部を形成する本体２６と、この本体２６から互いに直角２方向に延出する、それぞれ主枠材１２，１３の凹溝部１８内に主枠材端部からのみ挿入可能な２本の挿入脚部２７，２８とから成り、当該挿入脚部２７，２８には、主枠材１２，１３のスリット状開口１９に面する側に係止用凹部２９が形成され、この係止用凹部２９に嵌合して挿入脚部２７，２８の抜け止めとなる係止用凸部３１が前記押さえ枠材１４，１５に設けられた構成となっている。
【０００５】
上記構成によれば、各主枠材１２，１３の端部から凹溝部１８内に各連結具１６，１７の挿入脚部２７，２８を差し込んで矩形枠状に組み立て、この状態の各主枠材１２，１３の板材受け部２１にガラス板などの板材１１の周辺を支持させた後、各押さえ枠材１４，１５を各主枠材１２，１３の凹溝部１８を閉じるように配置して主枠材１２，１３側に押さえ込むことにより、各押さえ枠材１４，１５の突条部２４ａ，２４ｂを各主枠材１２，１３におけるスリット状開口１９の両側係合部２０ａ，２０ｂに係合させて、各押さえ枠材１４，１５を主枠材１２，１３に結合一体化すると共に、その板材押さえ部２２で主枠材１２，１３の板材受け部２１上の板材１１の周辺を挟み込んで板材１１を固定することができるのであるが、このとき、押さえ枠材１４，１５の係止用凸部３１が、主枠材１２，１３の凹溝部１８内に差し込まれている連結具１６，１７の挿入脚部２７，２８の係止用凹部２９に嵌合し、連結具１６，１７の挿入脚部２７，２８が主枠材１２，１３から抜けるのを阻止し、連結具１６，１７と各主枠材１２，１３とが結合一体化される。
【０００６】
尚、請求項２に記載のように、押さえ枠材１４，１５の前記突条部２４ａ，２４ｂを、連結具１６，１７の挿入脚部２７，２８が挿入される主枠材１２，１３の端部領域内まで設けておき、この押さえ枠材１４，１５に設けられる前記係止用凸部３１を、前記突条部２４ａ，２４ｂを部分的に切除して形成することができる。
【０００７】
又、請求項３に記載のように、連結具１６，１７の前記係止用凹部２９とこれに嵌合する押さえ枠材１４，１５の前記係止用凸部３１とには、この両者の嵌合により連結具１６，１７の挿入脚部２７，２８を主枠材１２，１３に対する挿入方向に引き込むカム面２９ａ，３１ａを形成しておくことができる。
【０００８】
又、請求項４に記載のように、押さえ枠材１４，１５の前記突条部２４ａ，２４ｂは、主枠材１２，１３のスリット状開口１９の両側の係止部２０ａ，２０ｂそれぞれに隣接するように左右一対設けることができるし、請求項５に記載のように、１つの連結具１６，１７に対して直角２方向に配置される２つの押さえ枠材１４，１５の内、少なくとも一方は、当該連結具１６，１７の本体２６に被さる長さを有せしめ、全ての押さえ枠材１４，１５の表面が面一に連続するように構成することができる。又、請求項６に記載のように、各押さえ枠材１４，１５には、主枠材１２，１３の板材受け部２１のある側とは反対側の外側面を覆う側板部２３を連設して、断面Ｌ形に構成することができる。
【０００９】
更に、引き戸として使用する場合は、請求項７に記載のように、連結具１６，１７の本体２６に引き戸用ガイド（ガイド溝３ａ〜４ｂ）に係合するガイド部材３２，３４又は車輪３３、若しくはその両者を取り付けることができるし、請求項８に記載のように、引き戸移動方向に直交する２つの押さえ枠材１５の内、少なくとも一方に引き戸用把手部２５を連設することができる。
【発明の効果】
【００１０】
上記の本発明の構成によれば、主枠材端部に対する各連結具の挿入脚部の差し込み、ガラス板などの板材の載置、各主枠材に対する各押さえ枠材の押圧嵌合操作によって、矩形の周囲枠とこの周囲枠に嵌め込まれたガラス板などの板材とから成る戸を組み立てることができ、その組み立てにねじによる結合作業を無くすことが可能であるから、適合するねじや工具の準備が不要となり、組み立て作業を誰でも簡単容易に行うことができる。
【００１１】
尚、請求項２に記載の構成によれば、押さえ枠材に突条部と係止用凸部とを各別に成形する必要がなくなり、例えば引き抜き成形した押さえ枠材の突条部を部分的に切除する二次加工を施すだけで、必要な構成を備えた押さえ枠材を得ることができ、コストを下げることができる。
【００１２】
又、請求項３に記載の構成によれば、押さえ枠材の装着により、連結具の挿入脚部を主枠材に対する挿入方向に引き込んだ状態で固定できるので、主枠材に対する連結具のガタつきを無くすことができる。
【００１３】
請求項４に記載の構成によれば、押さえ枠材の使用材料を節減できるにもかかわらず、この押さえ枠材側の突条部が係合する主枠材側のスリット状開口両側の係止部の間隔を広げて、強固且つ安定的に押さえ枠材を固定することができる。
【００１４】
請求項５に記載の構成によれば、主枠材の長さ方向に対して連結具が矩形周囲枠の表裏方向のガタつきを押さえ枠材の連結具本体上の被さりによって防止することができると共に、押さえ枠材側からの意匠をすっきりとさせることにも役立つ。又、請求項６に記載の構成によれば、押さえ枠材の曲げ強度を高めることができると共に、戸の周囲（矩形周囲枠の周囲）の手触り感も改善される。
【００１５】
更に、請求項７や請求項８に記載の構成によれば、構造が簡単でしかも丈夫な引き戸として活用することができる。
【発明を実施するための最良の形態】
【００１６】
以下に、引き戸として実施した本発明の具体的実施例を添付図に基づいて説明すると、図１において、１は矩形の開口部枠であって、その内側に２枚の引き戸２Ａ，２Ｂが嵌められている。開口部枠１は、図２Ａに示すように前後２列にガイド溝３ａ〜４ｂを備えた上下２本の水平枠材５，６と、図３Ａに示す左右２本の垂直枠材７，８とから構成されたもので、各枠材５〜８には内側に延出する取付片５ａ〜８ａが連設され、この取付片５ａ〜８ａにおいて各枠材５〜８が、収納家具における収納空間周囲板材９に木ねじなどにより取り付けられる。
【００１７】
各引き戸２Ａ，２Ｂは基本的に同一構造のものであって、矩形の周囲枠１０とこの周囲枠１０内に嵌め込まれたガラス板などの板材１１とから構成されている。周囲枠１０は、図２及び図３に示すように、引き戸移動方向と平行な上下２本の水平主枠材１２、引き戸移動方向に対し直交する左右２本の垂直主枠材１３、これら各主枠材１２，１３に被せられる上下２本の水平押さえ枠材１４と左右２本の垂直押さえ枠材１５、及び図４に示すように各主枠材１２，１３を矩形枠状に連結する下側左右２つの連結具１６と上側左右２つの連結具１７とから構成されている。
【００１８】
各主枠材１２，１３は同一構造のもので、図２Ｂ、図３Ｂ、及び図４に示すように、長さ方向に連続する凹溝部１８と、当該凹溝部１８のスリット状開口１９の両側に内側に張り出すように形成された係止部２０ａ，２０ｂとを有すると共に、内側辺（板材１１のある側）には、前記板材１１の周辺を受ける板材受け部２１が設けられている。
【００１９】
各押さえ枠材１４，１５は基本的に同一構造のもので、主枠材１２，１３のスリット状開口１９を閉じると共に主枠材１２，１３の板材受け部２１との間で前記板材１１の周辺を挟む板材押さえ部２２と、この板材押さえ部２２のある側とは反対側から直角内方に連設されて、主枠材１２，１３の板材受け部２１のある側とは反対側の外側面を覆う側板部２３と、主枠材１２，１３のスリット状開口１９から凹溝部１８内に嵌合する左右一対の突条部２４ａ，２４ｂとを備えている。この左右一対の突条部２４ａ，２４ｂは、主枠材１２，１３のスリット状開口１９の両側面に当接する間隔で突設されると共に、押さえ枠材１４，１５が主枠材１２，１３に当接するまで左右一対の突条部２４ａ，２４ｂを主枠材１２，１３のスリット状開口１９に嵌合させたとき、丁度スリット状開口１９の両側係合部２０ａ，２０ｂに弾性的に係合してこの押さえ枠材１４，１５の抜け止めとなるように長さ方向に連続する先端部が外側へ膨出した断面形状に成形されている。
【００２０】
尚、図１に示すように、各引き戸２Ａ，２Ｂの左右２本の垂直押さえ枠材１５の内、引き戸２Ａ，２Ｂを閉じたときに開口部枠１の垂直枠材７，８に当接する側の垂直押さえ枠材１５には、その板材押さえ部２２のある内側辺から直角に突出する把手部２５が長さ方向に連続して一体形成されている。
【００２１】
図４〜図６に示すように、各連結具１６，１７は、互いに直角に配置される主枠材１２，１３間に位置して直角のコーナー部を形成する角形本体２６と、この角形本体２６の直角両側面から突設されて直角２方向に延出する２本の挿入脚部２７，２８とから構成されている。各挿入脚部２７，２８は、主枠材１２，１３の凹溝部１８からスリット状開口１９に至る断面凸型の空間に密に内嵌し得るサイズの断面凸型のもので、主枠材１２，１３の長さ方向の端部からのみ凹溝部１８内に挿入可能なものであり、その長さ方向前後２箇所で主枠材１２，１３のスリット状開口１９に面する側に係止用凹部２９が形成されている。この係止用凹部２９は、挿入脚部２７，２８の先端側の側面が外広がりに傾斜したカム面２９ａとなっている。
【００２２】
一方、図６に示すように、押さえ枠材１４，１５には、その並列する２本の突条部２４ａ，２４ｂの両端部の長さ方向２箇所に切除部３０を設けることにより、押さえ枠材１４，１５の両端部の長さ方向２箇所に突条部２４ａ，２４ｂの残存部で形成された係止用凸部３１が設けられている。これら係止用凸部３１は、連結具１６，１７の挿入脚部２７，２８における係止用凹部２９内に嵌合するもので、押さえ枠材１４，１５の両端から遠い側の側辺が、前記係止用凹部２９のカム面２９ａに対応するように傾斜したカム面３１ａとなっている。
【００２３】
尚、引き戸２Ａ，２Ｂの下側両端に位置する連結具１６の本体２６には、図４及び図６に示すように、図１及び図２Ａに示す開口部枠１の下側水平枠材５のガイド溝３ａ，３ｂに嵌合するガイド部材３２と、下側水平枠材５のガイド溝３ａ，３ｂに隣接する表面を転動する車輪３３とが設けられ、引き戸２Ａ，２Ｂの上側両端に位置する連結具１７の本体２６には、図４及び図６に示すように、図１及び図２Ａに示す開口部枠１の上側水平枠材６のガイド溝４ａ、４ｂに嵌合するガイド部材３４が設けられている。
【００２４】
具体的には、車輪３３は、ガイド部材３２と一体で連結具１６の本体２６に下側から内嵌される部材３５に軸支され、当該部材３５を昇降移動させてガイド部材３２と車輪３３の突出量（引き戸２Ａ，２Ｂの支持レベル）を調整する調整ねじ３６が併設されている。この調整ねじ３６は、本体２６の側面に面一に露出する操作用頭部３６ａを備え、この本体２６の側面に被さる垂直押さえ枠材１５には、当該調整ねじ３６の操作用頭部３６ａを操作するための開口３７が設けられている。又、上側のガイド部材３４は、連結具本体２６に内装されたスプリング３８によって上向きに付勢されて突出限位置に保持されており、このスプリング３８の付勢力に抗してガイド部材３４を下降限位置まで押し下げたとき、当該ガイド部材３４を下降限位置で自動的に係止する係止片３９が本体２６に設けられ、この係止片３９に係合するガイド部材３４側の操作片４０を本体２６の背面側から本体２６内へ押し込み操作することにより、係止作用が解除されてガイド部材３４がスプリング３８の付勢力で突出限位置に上昇し、保持されるように構成されている。
【００２５】
以下、引き戸２Ａ，２Ｂの組み立て方法を説明すると、先ず図４〜図６に示すように、各主枠材１２，１３を連結具１６，１７により矩形枠状に連結する。即ち、水平主枠材１２の両端からその凹溝部１８内に連結具１６，１７の水平向きの挿入脚部２７を挿入すると共に、垂直主枠材１３の両端からその凹入部１８内に連結具１６，１７の垂直向きの挿入脚部２８を挿入する。このとき、各挿入脚部２７，２８の断面凸型の向きにより各主枠材１２，１３は、そのスリット状開口１９が同一側に位置する向きでのみ矩形枠状に連結されることになる（図５参照）。又、各連結具１６，１７の本体２６の背面は、各主枠材１２，１３の背面と面一になる（図６参照）。
【００２６】
次に、矩形枠状に組まれた主枠材１２，１３を、そのスリット状開口１９が上向きに成るように適当な水平面上に載置した状態で、周囲に断面コ形のパッキン材４１を嵌合させたガラス板などの板材１１の周辺（パッキン材４１）を矩形枠状に連続する各主枠材１２，１３の板材受け部２１上に載置する。この後、水平押さえ枠材１４を水平主枠材１２の表面側（スリット状開口１９のある側）に嵌合させると共に、垂直押さえ枠材１５を垂直主枠材１３の表面側（スリット状開口１９のある側）に嵌合させる。
【００２７】
即ち、各押さえ枠材１４，１５は、その並列する突条部２４ａ，２４ｂを主枠材１２，１３のスリット状開口１９から凹溝部１８内に嵌合させるように押し込むことにより、当該押さえ枠材１４，１５が主枠材１２，１３のを閉塞すると共に、その側板部２３が主枠材１２，１３の外側面（板材１１のある側とは反対側の側面）に被さることになり、このとき突条部２４ａ，２４ｂの先端膨出部が主枠材１２，１３のスリット状開口１９における両側係合部２０ａ，２０ｂに係合し、押さえ枠材１４，１５が主枠材１２，１３に固定されることになる。同時に、押さえ枠材１４，１５の長さ方向両端部に構成された各係止用凸部３１が、主枠材１２，１３の凹溝部１８内に挿入されている各連結具１６，１７の挿入脚部２７，２８における係止用凹部２９に嵌合し、これら連結具１６，１７の挿入脚部２７，２８が主枠材１２，１３の凹溝部１８内から主枠材長さ方向に抜け出るのを阻止するのであるが、このとき、係止用凹部２９のカム面２９ａに対する係止用凸部３１のカム面３１ａの押圧作用により、連結具１６，１７の挿入脚部２７，２８が主枠材１２，１３の凹溝部１８内に引き込まれる方向の作用力を受け、各連結具１６，１７は、主枠材１２，１３に対しガタつき無く強固に固定される。
【００２８】
尚、水平押さえ枠材１４は左右両連結具１６，１７間の水平主枠材１２と同一長さであり、水平主枠材１２に水平押さえ枠材１４を、両者の両端位置が一致する状態で上記の如く嵌合させることにより、上記のように係止用凸部３１と係止用凹部２９とが嵌合し合って、所期通りの締結作用が実現される。一方、垂直押さえ枠材１５は、垂直主枠材１３の両端に挿入された状態の上下両連結具１６，１７の本体２６に所定長さだけ被さる長さを有しており、各連結具本体２６には、垂直押さえ枠材１５（側板部２３を含む）の両端を位置決めする突出側縁部２６ａが形成されている。従って、垂直主枠材１３に垂直押さえ枠材１５を上記のように嵌合させるときは、当該垂直押さえ枠材１５の両端が上下両連結具１６，１７の本体２６の突出側縁部２６ａの内側に嵌まり込むように位置決めすることにより、上記のように係止用凸部３１と係止用凹部２９とが嵌合し合って、所期通りの締結作用が実現される。
【００２９】
尚、押さえ枠材１４，１５側の各係止用凸部３１は、先に説明したように、主枠材１２，１３側のスリット状開口１９の両側係合部２０ａ，２０ｂに各別に係合する左右２列の抜け止め用突条部２４ａ，２４ｂの一部分で構成されているので、各係止用凸部３１は左右対を成し、それぞれが連結具１６，１７の挿入脚部２７，２８における係止用凹部２９に嵌合すると同時に、当該挿入脚部２７，２８の両側に位置する主枠材１２，１３側のスリット状開口１９の両側係合部２０ａ，２０ｂにも係合し、押さえ枠材１４，１５の両端領域が主枠材１２，１３から浮き上がるのを防止することができる。
【００３０】
以上にようにして組み立てられた引き戸２Ａ，２Ｂは、その周囲枠１０の表面（垂直押さえ枠材１５から把手部２５が突設している側）が、各押さえ枠材１４，１５の表面と垂直押さえ枠材１５の両端から突出する連結具本体２６の側縁突出部２６ａの表面とで、段差のない一平面状に形成され、周囲枠１０の外周面それぞれは、各押さえ枠材１４，１５の側板部２３の表面と各連結具本体２６の水平端面、及び各垂直押さえ枠材１５の側板部２３から突出している連結具本体２６の側縁突出部２６ａの側面とで、段差のない一平面状に形成され、そして周囲枠１０の背面は、各主枠材１２，１３の背面とこれら主枠材１２，１３間の角部に突出している各連結具本体２６の垂直背面、及び各押さえ枠材１４，１５の側板部２３の端面とで、段差のない一平面状に形成されている。
【００３１】
組み立てられた引き戸２Ａ，２Ｂの開口部枠１内への取り付けは、最初に手前になる引き戸２Ｂの上側左右一対のガイド部材３４を押し下げて係止した状態で、下側左右一対のガイド部材３２を手前下側のガイド溝３ｂに嵌合させ、当該引き戸２Ｂを垂直姿勢に戻して上側左右一対のガイド部材３４を手前上側のガイド溝４ｂの真下に位置させた状態で、当該引き戸２Ｂの背面側から上側左右一対のガイド部材３４の係止を解除し、当該上側左右一対のガイド部材３４を上動復帰させて手前上側のガイド溝４ｂに嵌合させる。次に奥側の引き戸２Ａの各ガイド部材３２，３４を同じ要領で奥側上下のガイド溝３ａ，４ａにそれぞれ嵌合させる。これによって各引き戸２Ａ，２Ｂは、上下のガイド溝３ａ，４ａ及び３ｂ，４ｂの長さ方向にスライド可能な状態で、下側左右一対の車輪３３によって開口部枠１の下側水平枠材５の表面で支持されることになる。
【００３２】
尚、本発明の戸は、引き戸に限定されるものではなく、ヒンジによって開閉自在に軸支される開閉戸などとしても実施することができる。従って、引き戸として実施する場合も、上記実施形態において例示したガイド部材や車輪の取り付け構造は一例に過ぎず、これらに限定されるものではない。更に、本発明の構成は、特にねじによる結合を併用しなくとも十分に実用に耐え得るものであるが、場合によっては、例えば主枠材１２，１３の端部から差し込まれた連結具１６．１７の挿入脚部２７，２８と当該主枠材１２，１３とを主枠材１２，１３の背面側から結合するねじなどを併用しても良い。又、主枠材１２，１３と押さえ枠材１４，１５、及びこの両者間に位置する連結具１６，１７の挿入脚部２７，２８の３者をねじなどで結合するように構成することも可能である。
【図面の簡単な説明】
【００３３】
【図１】引き戸装置全体の正面図である。
【図２】Ａ図は引き戸装置全体の縦断側面図、Ｂ図は引き戸の拡大縦断側面図である。
【図３】Ａ図は引き戸装置全体の横断平面図、Ｂ図は引き戸の拡大横断平面図である。
【図４】引き戸の構成部品を分解して示す一部縦断正面図と背面図（押さえ枠材）である。
【図５】引き戸一部分の押さえ枠材取り付け前の状態を示す一部切り欠き正面図である
【図６】Ａ図は引き戸の押さえ枠材を分離した状態での縦断側面図、Ｂ図は同押さえ枠材取り付け状態での一部縦断側面図である。
【図７】引き戸一部分の押さえ枠材を分離した状態での横断平面図である。
【図８】同押さえ枠材取り付け状態での横断平面図である。
【符号の説明】
【００３４】
１    開口部枠
２Ａ，２Ｂ    引き戸
３ａ〜４ｂ    ガイド溝
１０    矩形の周囲枠
１１    ガラス板などの板材
１２，１３    主枠材
１４，１５    押さえ枠材
１６，１７    連結具
１８    凹溝部
１９    スリット状開口
２０ａ，２０ｂ    係止部
２１    板材受け部
２２    板材押さえ部
２３    側板部
２４ａ，２４ｂ    突条部
２５    把手部
２６    本体
２７，２８    挿入脚部
２９    係止用凹部
２９ａ，３１ａ    カム面
３１    係止用凸部
３２，３４    ガイド部材
３３    車輪
４１    パッキン材
【図１】
2005133459.tif 000003
【図２】
2005133459.tif 000004
【図３】
2005133459.tif 000005
【図４】
2005133459.tif 000006
【図５】
2005133459.tif 000007
【図６】
2005133459.tif 000008
【図７】
2005133459.tif 000009
【図８】
2005133459.tif 000010